(57)【要約】【課題】  プラズマ表示パネルの用途を拡大するとともに、焼き付きの問題が発生しにくいプラズマテレビジョンの提供を課題とする。【解決手段】  スタイラスペン３０を操作することにより描画モードに移行することができるため、スタイラスペン３０を用いて描画を行う際の利便性がよい。さらに、スタイラスペン３０を操作することによりキャンバス画像と描画画像の色設定を行うためのパレット画像を表示させることができるため、頻繁に描画色を変更するような場合であっても操作が煩わしくない。また、キャンバス画像や描画画像の変更を容易に行うことができるため、各セルの表示色が一定となりがちな描画モードにおいてＰＤＰパネル１３に表示される色を頻繁に変更し、全体的な焼き付きを防止することができる。【選択図】  図５
2006293149.tif 000002
【特許請求の範囲】
【請求項１】
本体部に備えられたプラズマ表示パネルにてデジタル映像信号に対応した画像を表示させるプラズマテレビジョンにおいて、
所定の操作に応じて信号を発信するリモコン発信器を備えるスタイラスペンと、
上記プラズマ表示パネルに設置され上記スタイラスペンの先端を検知可能なタッチパネルと、
上記本体部に備えられ、上記リモコン発信器から発せられた信号を受信可能なリモコン受信器と、
上記リモコン受信器にて受信された信号に応じて上記プラズマ表示パネルにキャンバス画像を表示させるキャンバス画像表示手段と、
上記タッチパネルにおける上記スタイラスペンの先端の検知状況に基づく描画画像を上記プラズマ表示パネルに表示させる描画手段と、
上記プラズマ表示パネルに上記キャンバス画像が表示されている間に上記リモコン受信器にて受信された信号に応じて上記プラズマ表示パネルにパレット画像を表示するパレット表示手段と、
上記タッチパネルにおける上記パレット画像が表示された部位の上記スタイラスペンの先端の検知状況に基づいて上記描画画像の色を変更する描画色変更手段と、
上記タッチパネルにおける上記パレット画像が表示された部位の上記スタイラスペンの先端の検知状況に基づいて上記キャンバス画像の色を変更するキャンバス色変更手段と、
上記描画画像を不揮発性メモリに記憶する描画画像記憶手段と、
上記不揮発性メモリに上記描画画像が記憶されているとき、上記ラズマ表示パネルにて同描画画像が記憶されている旨の表示を行う通知手段と、
上記プラズマ表示パネルにおいて上記描画画像が表示される位置を経時的に移動させ、上記タッチパネルにて上記スタイラスペンの先端が検知されたとき同描画画像の移動を停止させる焼き付き防止手段とを具備することを特徴とするプラズマテレビジョン。
【請求項２】
本体部に備えられたプラズマ表示パネルにてデジタル映像信号に対応した画像を表示させるプラズマテレビジョンにおいて、
所定の操作に応じて信号を発信するリモコン発信器を備えるスタイラスペンと、
上記プラズマ表示パネルに設置され上記スタイラスペンの先端を検知可能なタッチパネルと、
上記本体部に備えられ、上記リモコン発信器から発せられた信号を受信可能なリモコン受信器と、
上記リモコン受信器にて受信された信号に応じて上記プラズマ表示パネルにキャンバス画像を表示させるキャンバス画像表示手段と、
上記タッチパネルにおける上記スタイラスペンの先端の検知状況に基づく描画画像を上記プラズマ表示パネルに表示させる描画手段と、
上記プラズマ表示パネルに上記キャンバス画像が表示されている間に上記リモコン受信器にて受信された信号に応じて上記プラズマ表示パネルにパレット画像を表示するパレット表示手段と、
上記タッチパネルにおける上記パレット画像が表示された部位の上記スタイラスペンの先端の検知状況に基づいて上記描画画像の色を変更する描画色変更手段とを具備することを特徴とするプラズマテレビジョン。
【請求項３】
上記タッチパネルにおける上記パレット画像が表示された部位から検出された上記スタイラスペンの先端の検知状況に基づいて上記キャンバス画像の色を変更するキャンバス色変更手段を具備することを特徴とする請求項２に記載のプラズマテレビジョン。
【請求項４】
上記描画画像を不揮発性メモリに記憶する描画画像記憶手段と、
上記不揮発性メモリに上記描画画像が記憶されているとき、上記ラズマ表示パネルにて同描画画像が記憶されている旨の表示を行う通知手段とを具備することを特徴とするプラズマテレビジョン。
【請求項５】
上記プラズマ表示パネルにおいて上記描画画像が表示される位置を経時的に移動させる焼き付き防止手段を具備することを特徴とするプラズマテレビジョン。
【請求項６】
上記焼き付き防止手段は、上記タッチパネルにて上記スタイラスペンの先端が検知されたとき上記描画画像の移動を停止させることを特徴とする請求項５に記載のプラズマテレビジョン。
【発明の詳細な説明】
【技術分野】
【０００１】
本発明は、本体部に備えられたプラズマ表示パネルにてデジタル映像信号に対応した画像を表示させるプラズマテレビジョンに関する。
【背景技術】
【０００２】
プラズマ表示パネルは大型化に適しており、このプラズマ表示パネルを表示デバイスとして利用したプラズマテレビジョンにおいては大画面のものが多い。一方、タブレットＰＣやカーナビゲーションシステムにおいては、表示画面にタッチパネルを備えさたものが一般的に知られている（例えば、特許文献１、参照。）。また、このようなタッチパネルを操作するためのポインティングデバイスも知られている（例えば、特許文献２、参照。）。
プラズマテレビジョンにおいては、大画面で映像の表示を行うことができるため、迫力のある映像を楽しむことができる。一方、ポインティングデバイスを使用して入力が可能なタブレットＰＣやカーナビゲーションシステムでは、高い操作性を実現することが可能であった。
【特許文献１】特開２００４‐２５２８２０号公報
【特許文献２】特開２００１‐１７５４０４号公報
【発明の開示】
【発明が解決しようとする課題】
【０００３】
テレビ映像やビデオ映像の表示する以外にプラズマテレビジョンを利用する用途がなく、せっかくの大画面が有効に利用されないという課題があった。また、プラズマテレビジョンに上述したようなタッチパネルやポインティングデバイスを備えさせることにより、プラズマテレビジョンをタブレットＰＣのように使用することも考えられる。しかしながら、プラズマ表示パネルは各セルにて個々に放電が行われるため、焼き付きが発生しやすく、パソコン画面のような静止画表示に適さないという課題もあった。
【０００４】
本発明は、上記課題にかんがみてなされたもので、プラズマ表示パネルの用途を拡大するとともに、焼き付きの問題が発生しにくいプラズマテレビジョンを提供することを目的とする。
【課題を解決するための手段】
【０００５】
上記目的を達成するために請求項２にかかる発明は、本体部に備えられたプラズマ表示パネルにてデジタル映像信号に対応した画像を表示させるプラズマテレビジョンにおいて、
所定の操作に応じて信号を発信するリモコン発信器を備えるスタイラスペンと、上記プラズマ表示パネルに設置され上記スタイラスペンの先端を検知可能なタッチパネルと、上記本体部に備えられ、上記リモコン発信器から発せられた信号を受信可能なリモコン受信器と、上記リモコン受信器にて受信された信号に応じて上記プラズマ表示パネルにキャンバス画像を表示させるキャンバス画像表示手段と、上記タッチパネルにおける上記スタイラスペンの先端の検知状況に基づく描画画像を上記プラズマ表示パネルに表示させる描画手段と、上記プラズマ表示パネルに上記キャンバス画像が表示されている間に上記リモコン受信器にて受信された信号に応じて上記プラズマ表示パネルにパレット画像を表示するパレット表示手段と、上記タッチパネルにおける上記パレット画像が表示された部位から検出された上記スタイラスペンの先端の検知状況に基づいて上記描画画像の色を変更する描画色変更手段とを具備する構成としてある。
【０００６】
上記のように構成した請求項２の発明において、プラズマテレビジョンは、デジタル映像信号に対応した画像を表示可能なプラズマ表示パネルを備える本体部と、所定の操作に応じて信号を発信するリモコン発信器を備えるスタイラスペンとから構成される。上記本体部には、上記スライラスペンの上記リモコン発信器から発せられた信号を受信可能なリモコン受信器が備えられる。また、上記プラズマ表示パネルに設置されたタッチパネルは、上記スタイラスペンの先端を検知することができる。
【０００７】
そして、キャンバス画像表示手段は、上記リモコン受信器にて受信された信号に応じて上記プラズマ表示パネルにキャンバス画像を表示させる。すなわち、上記スタイラスペンにおける所定の操作に応じて上記プラズマ表示パネルにキャンバス画像を表示させることができる。描画手段は、上記タッチパネルにおける上記スタイラスペンの先端の検知状況に基づいて描画画像を生成し、同描画画像を表示させる。さらに、パレット表示手段は、上記キャンバス画像が表示されている間に上記リモコン受信器にて所定の信号が受信されると、上記プラズマ表示パネルにパレット画像を表示する。すなわち、上記スタイラスペンにおける所定の操作に応じて上記プラズマ表示パネルにパレット画像を表示させることができる。
【０００８】
さらに、描画色変更手段は、上記タッチパネルにおける上記パレット画像が表示された部位から検出された上記スタイラスペンの先端の検知状況に基づいて上記描画画像の色を変更することができる。これにより、上記プラズマ表示パネルに表示された上記描画画像の色を変更することができる。
【０００９】
また、請求項３にかかる発明は、上記タッチパネルにおける上記パレット画像が表示された部位から検出された上記スタイラスペンの先端の検知状況に基づいて上記キャンバス画像の色を変更するキャンバス色変更手段を具備する構成としてある。
上記のように構成した請求項３の発明では、キャンバス色変更手段が上記タッチパネルにおける上記パレット画像が表示された部位の上記スタイラスペンの先端の検知状況に基づいて上記キャンバス画像の色を変更する。これにより、上記プラズマ表示パネルに表示された上記キャンバス画像の色を変更することができる。
【００１０】
さらに、請求項４にかかる発明は、上記描画画像を不揮発性メモリに記憶する描画画像記憶手段と、上記不揮発性メモリに上記描画画像が記憶されているとき、上記ラズマ表示パネルにて同描画画像が記憶されている旨の表示を行う通知手段とを具備する構成としてある。
上記のように構成した請求項４の発明では、描画画像記憶手段が所定の不揮発性メモリに上記描画画像の画像データを記憶する。そして、通知手段は、上記不揮発性メモリに上記描画画像が記憶されているとき、上記ラズマ表示パネルにて同描画画像が記憶されている旨の表示を行う。これにより、上記描画画像の画像データが記憶されていることを通知することができる。
【００１１】
さらに、請求項５にかかる発明は、上記プラズマ表示パネルにおいて上記描画画像が表示される位置を経時的に移動させる焼き付き防止手段を具備する構成としてある。
上記のように構成した請求項５の発明では、上記プラズマ表示パネルにおいて上記描画画像が表示される位置が時間に応じて移動させられる。これにより、上記プラズマ表示パネルの焼き付きを防止することができる。
【００１２】
また、請求項６にかかる発明は、上記焼き付き防止手段は、上記タッチパネルにて上記スタイラスペンの先端が検知されたとき上記描画画像の移動を停止させる構成としてある。
上記のように構成した請求項６の発明では、上記タッチパネルにて上記スタイラスペンの先端が検知されたとき上記描画画像の移動が停止させられる。これにより、上記描画画像を静止させた状態で、上記スタイラスペンを利用して上記タッチパネルを操作することができる。
【００１３】
以上の構成を踏まえたうえで、請求項１の発明は、本体部に備えられたプラズマ表示パネルにてデジタル映像信号に対応した画像を表示させるプラズマテレビジョンにおいて、
所定の操作に応じて信号を発信するリモコン発信器を備えるスタイラスペンと、上記プラズマ表示パネルに設置され上記スタイラスペンの先端を検知可能なタッチパネルと、上記本体部に備えられ、上記リモコン発信器から発せられた信号を受信可能なリモコン受信器と、上記リモコン受信器にて受信された信号に応じて上記プラズマ表示パネルにキャンバス画像を表示させるキャンバス画像表示手段と、上記タッチパネルにおける上記スタイラスペンの先端の検知状況に基づく描画画像を上記プラズマ表示パネルに表示させる描画手段と、上記プラズマ表示パネルに上記キャンバス画像が表示されている間に上記リモコン受信器にて受信された信号に応じて上記プラズマ表示パネルにパレット画像を表示するパレット表示手段と、上記タッチパネルにおける上記パレット画像が表示された部位の上記スタイラスペンの先端の検知状況に基づいて上記描画画像の色を変更する描画色変更手段と、上記タッチパネルにおける上記パレット画像が表示された部位の上記スタイラスペンの先端の検知状況に基づいて上記キャンバス画像の色を変更するキャンバス色変更手段と、上記描画画像を不揮発性メモリに記憶する描画画像記憶手段と、上記不揮発性メモリに上記描画画像が記憶されているとき、上記ラズマ表示パネルにて同描画画像が記憶されている旨の表示を行う通知手段と、上記プラズマ表示パネルにおいて上記描画画像が表示される位置を経時的に移動させ、上記タッチパネルにて上記スタイラスペンの先端が検知されたとき同描画画像の移動を停止させる焼き付き防止手段とを具備する構成としてある。
【００１４】
このような、より具体的な構成において上述した請求項２〜請求項６の各発明と同様の作用を奏することは言うまでもない。
また、本発明にかかる技術的思想は、上記各手段が実行する処理と同様の処理をプラズマテレビジョンに実行させるプログラムの発明としても把握できる。
【発明の効果】
【００１５】
以上説明したように請求項１および請求項２の発明によれば、プラズマ表示パネル上にて描画を可能とすることによりプラズマ表示パネルの用途を拡大するとともに、表示色の変更を可能とすることにより焼き付きの問題が発生しにくいプラズマテレビジョンを提供することができる。
請求項３の発明によれば、背景色を変更して焼き付きを防止することができる。
【００１６】
請求項４の発明によれば、プラズマ表示パネルを伝言板のように使用することができる。
請求項５の発明によれば、静止画を移動させることにより焼き付きを防止することができる。
請求項６の発明によれば、スタイラスペンによる操作性を悪化させることなく、焼き付きを防止することができる。
【発明を実施するための最良の形態】
【００１７】
以下の順序に従って本発明の実施形態を説明する。
（１）本体部の構成：
（２）スタイラスペンの構成：
（３）描画モードにおける動作：
（４）焼き付き防止処理：
（５）通知処理：
（６）まとめ：
【００１８】
（１）本体部の構成：
図１は、本発明にかかるプラズマ（ＰＤＰ）テレビジョンの一実施形態における本体部の構成を示したブロック構成図である。
同図において、ＰＤＰテレビジョン１０は、概略、チューナ１１とビデオ信号処理回路１２とプラズマ表示（ＰＤＰ）パネル１３とマイコン１４とセレクタ回路１５とタッチパネル２０から構成されている。ビデオ信号処理回路１２は内部にデジタル信号処理回路１２ａと調整回路１２ｂとを有し、ＩＩＣバス等のバス１２ｅを介して制御回路１２ｃとマイコンＩ／Ｆ１２ｄとが接続されている。このマイコンＩ／Ｆ１２ｄにはマイコン１４が接続されており、マイコン１４は、マイコンＩ／Ｆ１２ｄを介して、ビデオ信号処理回路１２の各回路の制御を実行可能になっている。
【００１９】
ここで、マイコン１４には操作パネル１４ａとリモコン受信器１４ｂとＲＯＭ１４ｃとＲＡＭ１４ｄとＥＥＰＲＯＭ１４ｅとタイマ１４ｆとタッチパネル２０とが接続されている。マイコン１４は、ＲＯＭ１４ｃに予め格納されている各種プログラムを読み出して、ＲＡＭ１４ｄをワークエリアとしつつ実行し、上述した各回路の制御を実行する。ＲＯＭ１４ｃには、図示しない各種プログラム以外に、パレット画像データ１４ｃ１とキャンバス画像データ１４ｃ２とアイコン画像データ１４ｃ３とが記憶されている。また、ＥＥＰＲＯＭ１４ｅは書き換え可能な不揮発性メモリであり、ＰＤＰテレビジョン１０の各種設定情報や描画画像データ１４ｅ１を記憶することができる。
【００２０】
ここで、ＰＤＰパネル１３は、多数の放電セルが表示面にドットマトリクス状に配列した表示素子であり、各放電セルに封入されたプラズマが発光する。プラズマから発光された光は、所定の蛍光体に衝突し、ＲＧＢの可視光に変換される。各放電セルにおける発光量（輝度）を制御することにより、ＲＧＢの可視光のバランスを調整することができる。これにより、ＲＧＢのセルで構成される一画素を所望の色および輝度で発光させることができる。
【００２１】
図２は、ＰＤＰパネル１３にタッチパネル２０が取り付けられる様子を示している。タッチパネル２０はＰＤＰパネル１３とほぼ同じ外形の矩形板状に形成されており、ＰＤＰパネル１３の前面または背面に取り付けられる。タッチパネル２０は、一面にタッチセンサーが分布され、同タッチセンサーが所定のスタイラスペンの先端が接触したことをそれぞれ感知することが可能となっている。タッチパネル２０は種々の方式が採用可能であり、抵抗膜式や超音波式や光学式や静電容量式や電磁誘導式等を採用することができる。なお、本実施形態においては一面にセンサーコイルが分布し、同センサーコイルにおける誘導電流を検出可能することにより、スタイラスペンの先端を検知する電磁誘導式が採用されている。
【００２２】
チューナ１１は、アナログテレビ用のチューナであり、接続するアンテナ１１ａにてテレビジョン放送電波を受信する。そして、同チューナ１１からは、受信したテレビジョン放送電波に基づいたアナログ映像信号としてのテレビジョン放送信号（コンポジットビデオ信号）が出力される。また、このＰＤＰテレビジョン１０は、外部入力端子としてＶＴＲからのアナログ映像信号（コンポジットビデオ信号）を入力するための外部入力端子１５ａと、ＬＤプレイヤーからのアナログ映像信号（コンポジットビデオ信号）を入力するための外部入力端子１５ｂと、ＤＶＤプレイヤーからのアナログ映像信号（コンポジットビデオ信号）を入力するための外部入力端子１５ｃとを備えている。
【００２３】
チューナ１１および外部入力端子１５ａ〜１５ｃは、セレクタ回路１５に接続されており、チューナ１１から出力されるコンポジットビデオ信号（テレビジョン放送信号）および外部入力端子１５ａから入力されるコンポジットビデオ信号と外部入力端子１５ｂから入力されるコンポジットビデオ信号と外部入力端子１５ｃから入力されるコンポジットビデオ信号とのうちから、１つのコンポジットビデオ信号を選択可能になっている。この選択は、マイコン１４に接続された操作パネル１４ａおよびリモコン受信器１４ｂを介して入力されるリモコンによる操作によって行われる。セレクタ回路１５によって選択されたコンポジットビデオ信号は、ビデオ信号処理回路１２に送出される。この送出されたコンポジットビデオ信号は、ビデオ信号処理回路１２内部のデジタル信号処理回路１２ａに入力される。
【００２４】
このデジタル信号処理回路１２ａは、Ａ／Ｄ変換回路１２ａ１と、Ｙ／Ｃ分離回路１２ａ２と、クロマデコーダ回路１２ａ３と、画質調整回路１２ａ４と、マトリクス回路１２ａ５とを有している。かかる構成において、Ａ／Ｄ変換回路１２ａ１は、コンポジットビデオ信号を入力すると、このコンポジットビデオ信号における白レベルと黒レベルとの間の所定の信号レベル範囲を各信号レベルに応じた階調のデジタル信号に変換する。以降の所定の信号処理はこのデジタル信号に基づいて実行されることになる。Ｙ／Ｃ分離回路１２ａ２はこのデジタル信号に基づいてＹ信号とＣ信号への分離処理を行う、分離後のＹ信号およびＣ信号はクロマデコーダ回路１２ａ３に入力され、所定の信号処理が行われた後にＹＵＶ信号として出力される。
【００２５】
デジタル信号処理回路１２ａの画質調整回路１２ａ４は、ＹＵＶ信号に対して、シャープネス、色彩およびＴＩＮＴの調整を行う。マトリクス回路１２ａ５は、画質調整回路１２ａ４によって画質調整が施されたＹＵＶ信号に対してＲＧＢマトリクス変換処理を行って、ＲＧＢデータを生成する。この生成されたＲＧＢデータは調整回路１２ｂに送出される。調整回路１２ｂは、画素数変換回路１２ｂ１と、画質調整回路１２ｂ２と、出力処理回路１２ｂ３と、フレームメモリ１２ｂ４とを有している。画素数変換回路１２ｂ１は、デジタル信号処理回路１２ａにて生成されたＲＧＢデータを入力し、このＲＧＢデータに対して、スケーリング処理を行いつつ、ＰＤＰパネル１３に表示される１画面分のＲＧＢデータを生成する。そして、この１画面分のＲＧＢデータをフレームメモリ１２ｂ４に格納する。階調データに略比例した輝度で各セルのプラズマが発光させられる。
【００２６】
なお、調整回路１２ｂの画質調整回路１２ｂ２は、画素数変換回路１２ｂ１によってスケーリング処理が施され、フレームメモリ１２ｂ４に格納されたＲＧＢデータに対して、ブライトネス、コントラスト、黒バランスおよび白バランスの調整を行う。出力処理回路１２ｂ３は、画質調整回路１２ｂ２によって画質調整が施されたＲＧＢの階調データに対して、ガンマ補正、ディザ処理等を行うとともに、背景信号、ＯＳＤ信号、ブランキング信号等を付加して、ＰＤＰパネル１３に同階調データを出力する。
【００２７】
次に、マイコン１４にて実行される描画プログラムについて説明する。描画プログラムのデータはＲＯＭ１４ｃに記憶されており、マイコン１４が適宜読み出して同マイコン１４上に実行する。図３は、マイコン１４にて実行され描画プログラムの構成を示している。動ずにおいて、描画プログラムＭは、キャンバス画像表示部Ｍ１とパレット画像表示部Ｍ２と描画部Ｍ３と焼き付き防止部Ｍ４と通知部Ｍ５と記憶部Ｍ６とリモコン入力部Ｍ７とタッチ入力部Ｍ８と合成部Ｍ９から構成されている。これらの各モジュールの機能および動作は後に詳述する。
【００２８】
（２）スタイラスペンの構成：
図４は、スタイラスペン３０を斜めから見て示している。同図において、スタイラスペン３０は一端が尖ったペン状に形成されている。そして、先端の内部にはコイル３１が埋設されている。このようにすることにより、スタイラスペン３０の先端付近に磁界を形成することができ、タッチパネル２０に分布するセンサーコイルに誘導電流を生じさせることができる。従って、タッチパネル２０は各センサーコイルにおける誘導電流に基づいてスタイラスペン３０の先端がタッチパネル２０のどの部位に接触したことを検知することができる。
【００２９】
一方、スタイラスペン３０の胴体部には赤外線リモコン発信器３４が埋設されており、胴体部から外側に突出した発信レンズ３４ａから所定の赤外線信号を発信することが可能となっている。また、スタイラスペン３０の胴体部には押圧式のモード切替スイッチ３２とパレット切替スイッチ３３とが備えられている。押圧式のモード切替スイッチ３２とパレット切替スイッチ３３はリモコン発信器３４と内部の配線によって接続されている。モード切替スイッチ３２を押圧することにより、リモコン発信器３４がモード切替信号を発信する。これにより、本体部に備えられたリモコン受信器１４ｂにてモード切替信号を受信し、それに応じた動作を行うことができる。パレット切替スイッチ３３を押圧することにより、リモコン発信器３４がパレット切替信号を発信する。これにより、本体部に備えられたリモコン受信器１４ｂにてパレット切替信号を受信し、それに応じた動作を行うことができる。
【００３０】
（３）描画モードにおける動作：
図５は、ＰＤＰテレビジョン１０が描画モードを実行する際の流れを示している。同図において、ステップＳ１００にてモード切替信号の入力を受け付けている。例えば、チューナ１１から取得した映像信号に基づいてＰＤＰテレビジョン１０がテレビ画像を表示させている通常モードにおいて、マイコン１４上にて起動させられた描画プログラムＭがモード切替信号の入力を受け付けている。具体的には、図２に示したリモコン入力部Ｍ７がリモコン受信器１４ｂにおいてモード切替信号が受信されたことを監視している。上述したようにモード切替信号は、スタイラスペン３０のモード切替スイッチ３２を押圧することにより発信される信号である。
【００３１】
ステップＳ１０５において、リモコン入力部Ｍ７によってモード切替信号の入力が確認されなければ、再びステップＳ１００にてモード切替信号の入力を受け付ける。すなわち、モード切替信号の入力があるまでは、モード切替信号の入力待ちで待機することとなる。むろん、この間もチューナ１１から取得した映像信号に基づいてＰＤＰテレビジョン１０がテレビ画像を表示させる通常モードは実行されている。ステップＳ１０５においてリモコン入力部Ｍ７によってモード切替信号の入力が確認された場合には、ステップＳ１１０にてキャンバス画像表示部Ｍ１がキャンバス画像を表示させる。キャンバス画像表示部Ｍ１は、ＲＯＭ１４ｃに記憶されたキャンバス画像データ１４ｃ２を取得し、同キャンバス画像データ１４ｃ２を合成部Ｍ９を介してフレームメモリ１２ｂ４に出力する。これにより、ＰＤＰパネル１３にてキャンバス画像を表示させることができる。
【００３２】
図６は、キャンバス画像の一例を示している。同図において、キャンバス画像の上段に簡単なガイダンスが表示され、それ以外の部分は一様なべた画像となっている。このべた画像においては、ＰＤＰパネル１３に出力される各画素の階調データが一様である。例えば、白べた画像や青べた画像や緑べた画像であってもよい。白べた画像においてはＲＧＢの全チャンネルが同一で高階調となる。青べた画像においてはＢチャンネルのみが高階調となる。緑べた画像においてはＧチャンネルのみが高階調となる。白べた画像においてはホワイトボード感覚で描画を行うことができるし、青べた画像や緑べた画像においては消費電力を軽減することができる。なお、本実施形態においては白べたのキャンバス画像がデフォルトで表示されるものとする。
【００３３】
ステップＳ１１５においては、キャンバス画像が表示された状態で、パレット切替信号と描画入力信号の入力をリモコン入力部Ｍ７とタッチ入力部Ｍ８が受け付ける。リモコン入力部Ｍ７は、リモコン受信器１４ｂにおいてパレット切替信号が受信されたことを監視する。上述したとおりパレット切替信号は、パレット切替スイッチ３３を押圧することにより、リモコン発信器３４が発信する信号である。一方、タッチ入力部Ｍ８はタッチパネル２０における検知状況を監視しており、タッチパネル２０にスタイラスペン３０の先端が接触したことを検知することができる。なお、描画入力信号は、タッチパネル２０におけるスタイラスペン３０の先端の動作に応じて生成される信号である。
【００３４】
ステップＳ１２０においては、まずリモコン入力部Ｍ７がパレット切替信号を入力したかどうかが判断され、パレット切替信号が入力されていない場合にはステップＳ１２５にて描画入力信号を入力したかどうかが判断される。ここで、ステップＳ１２５にて描画入力信号が入力されなかったと判断され場合には、ステップＳ１１５に戻り再度パレット切替信号と描画入力信号の入力を受け付ける。ステップＳ１２５において、描画入力信号が検出された場合には、ステップＳ１３０において描画部Ｍ３が描画入力信号に基づく画像データを生成する。
【００３５】
タッチパネル２０は、スタイラスペン３０の先端が接触したことを検出し、同先端が接触しているタッチパネル２０上の座標を描画入力信号としてタッチ入力部Ｍ８を介して描画部Ｍ３に出力する。すると、描画部Ｍ３は、タッチパネル２０から入力された座標に対応する位置の画素に色が付されたビットマップデータを生成する。例えば、図７に示す軌跡Ｒのようにタッチパネル２０においてスタイラスペン３０の先端が移動したとすると、描画部Ｍ３は連続的に上記座標を入力するため、軌跡Ｒと同様の線上に色が付されたビットマップデータを生成することができる。なお、このビットマップデータを描画画像データというものとする。また、描画部Ｍ３がタッチパネル２０から入力された座標に対応する位置の画素に付する色を描画色というものとする。
【００３６】
ステップＳ１３５においては、描画部Ｍ３がステップＳ１３０にて生成された描画画像データを焼き付き防止部Ｍ４および合成部Ｍ９を介してフレームメモリ１２ｂ４に出力する。合成部Ｍ９にはキャンバス画像データも出力されているため、同合成部Ｍ９にて描画画像データとキャンバス画像データとが合成され、図７のようにキャンバス画像データのべた部分に軌跡Ｒに沿った線をＰＤＰパネル１３にて表示させることができる。なお、ステップＳ１３０，Ｓ１３５を所定の周期で高速に行うことにより、スタイラスペン３０の先端に追従するような描画画像を表示することができる。
【００３７】
ステップＳ１４０においては、描画画像表示後に、再度、モード切替信号がリモコン入力部Ｍ７に入力されたかどうかが確認される。すなわち、ユーザーが再度モード切替スイッチ３２を押圧したかどうかが判断される。ここで、モード切替信号が検出されない場合には、ステップＳ１１５に戻り、再度パレット切替信号と描画入力信号の入力を受け付ける。すなわち、ユーザーが描画モードの継続を希望しており、次の描画入力信号と、色設定の変更を行う操作のいずれかを受け付ける。
【００３８】
一方、ステップＳ１４０において、モード切替信号がリモコン入力部Ｍ７に入力された場合には、ステップＳ１４５において描画画像データを記憶するかどうかの確認を行う。例えば、描画画像データを記憶するかどうかを問い合わせるＵＩ画面をＰＤＰパネル１３に表示させ、スタイラスペン３０によって選択可能にするようにしてもよい。そして、描画画像データの記憶が選択されなかった場合には、描画画像データの記憶を行うことなく、描画モードを終了し、通常モードに移行する。一方、描画画像データの記憶が選択された場合には、ステップＳ１５０にて記憶部Ｍ６が描画部Ｍ３から描画画像データを取得し、ＥＥＰＲＯＭ１４ｅに描画画像データ１４ｅ１を記憶させる。そして、ＥＥＰＲＯＭ１４ｅに描画画像データ１４ｅ１を記憶すると、ステップＳ１５５にて描画モードを終了し通常モードに移行する。
【００３９】
ところで、ステップＳ１１５においてパレット切替信号の入力があった場合には、ステップＳ１６０にてパレット画像表示部Ｍ２がＰＤＰパネル１３にパレット画像を表示する。パレット画像表示部Ｍ２は、ＲＯＭ１４ｃに記憶されたパレット画像データ１２ｃ１を取得し、同パレット画像データ１２ｃ１を合成部Ｍ９を介してフレームメモリ１２ｂ４に出力する。これにより、キャンバス画像と描画画像とパレット画像とが合成された画像をＰＤＰパネル１３に表示することができる。
【００４０】
図８は、パレット画像の一例を示している。同図において、キャンバス画像と描画画像とパレット画像とが合成されている。パレット画像においては矩形状の色見本が複数表示されており、これらのいずれかをペン色と背景色について選択することが可能となっている。スタイラスペン３０の先端を各色見本に接触させることにより、ペン色と背景色を接触した色見本と同じ色に切り換えるよう選択を行うことができる。すなわち、ステップＳ１６５においては、タッチ入力部Ｍ８がタッチパネル２０においてパレット画像の各色見本が表示される座標を取得しており、この座標とスタイラスペン３０の先端が検知された位置とを比較することにより、いずれの色見本が選択されたかを特定することができる。また、選択された色見本には当該色見本を囲むカーソルが表示される。
【００４１】
ステップＳ１７０においては、タッチ入力部Ｍ８がパレット画像において選択された色を描画部Ｍ３とキャンバス画像表示部Ｍ１に対してそれぞれ設定する。まず、描画部Ｍ３に対してはペン色として設定された色を上記描画色とするように設定する。このようにすることにより、ペン色として設定された色によって文字や絵が描画された描画画像を表示することができる。一方、キャンバス画像表示部Ｍ１に対しては背景色として設定された色のキャンバス画像データ１４ｃ２をＲＯＭ１４ｃから取得し、同キャンバス画像データ１４ｃ２をフレームメモリ１２ｂ４に出力するように設定する。
【００４２】
このようにすることにより、背景色として設定された色のべた部分が表示可能なキャンバス画像を表示することができる。なお、ＲＯＭ１４ｃにはべた部分がそれぞれ異なる色で表示される複数のキャンバス画像データ１４ｃ２が予め用意されており、キャンバス画像表示部Ｍ１がいずれかを選択することにより背景色として選択された色のキャンバス画像を表示することが可能となっている。
【００４３】
ステップＳ１８０においては、再度、パレット切替信号がリモコン入力部Ｍ７に入力されたかどうかが確認される。すなわち、ユーザーが再度パレット切替スイッチ３３を押圧したかどうかが判断される。ここで、パレット切替信号が検出されない場合には、ステップＳ１６５に戻り、色設定の入力を受け付ける。一方、パレット切替信号が検出された場合には、ステップＳ１９０にてパレット画像表示部Ｍ２によるパレット画像の出力が停止される。これにより、合成部Ｍ９にて描画画像とキャンバス画像のみを合成したのもがＰＤＰパネル１３に表示されることとなる。すなわち、キャンバス画像からパレット画像が消去される。
【００４４】
以上説明したように、スタイラスペン３０を操作することにより描画モードに移行することができるため、スタイラスペン３０を用いて描画を行う際の利便性がよい。さらに、スタイラスペン３０を操作することによりキャンバス画像と描画画像の色設定を行うためのパレット画像を表示させることができるため、頻繁に描画色を変更するような場合であっても操作が煩わしくない。また、キャンバス画像や描画画像の変更を容易に行うことができるため、各セルの表示色が一定となりがちな描画モードにおいてＰＤＰパネル１３に表示される色を頻繁に変更させることができる。従って、ＰＤＰパネル１３における焼き付きを軽減することができる。特に、キャンバス画像の色を変えることができるため、全体的な焼き付きを防止することができる。
【００４５】
（４）焼き付き防止処理：
さらに、焼き付き防止効果を向上させるために本実施形態においては、図９に示す焼き付き防止処理を実行している。同図において、ステップＳ２００においては焼き付き防止部Ｍ４がタイマ１４ｆを利用して、タッチパネル２０からスタイラスペン３０の先端が離反し、タッチ入力部Ｍ８に描画入力信号が入力されなくなってからの時間を計測する。そして、ステップＳ２１０においては、描画入力信号が入力されなくなってから３０秒経過したかどうかが判定され、３０秒経過していない場合にはステップＳ２００にて時間計測を継続する。
【００４６】
一方、描画入力信号が入力されなくなってから３０秒経過した場合にはステップＳ２２０にて焼き付き防止部Ｍ４が描画画像を移動させる。図１０は、焼き付き防止部Ｍ４が描画画像を全体的に移動させる様子を模式的に示している。同図において、軌跡Ｒで表れる描画画像を構成する任意の画素Ａが上→右→下→左の順に移動させられている様子を示している。描画画像を構成する全ての画素が画素Ａと同様に移動させられる。焼き付き防止部Ｍ４は、描画部Ｍ３から描画画像を入力し合成部Ｍ９に出力するため、描画画像が移動するように同描画画像の加工を行うことができる。
【００４７】
ステップＳ２３０においては、焼き付き防止部Ｍ４がタッチパネル２０にスタイラスペン３０が接触したかどうかをタッチ入力部Ｍ８を介して判定する。そして、タッチパネル２０にスタイラスペン３０の先端が接触するまでは、ステップＳ２２０にて描画画像の移動が継続される。一方、タッチパネル２０にスタイラスペン３０の先端が接触すると、ステップＳ２４０において描画画像の移動が停止させられる。すなわち、ユーザーが描画を行おうとしているときには、タッチパネル２０にスタイラスペン３０の先端が接触し、ステップＳ２４０において描画画像の移動が停止させられる。ステップＳ２４０において描画画像の移動が停止させられると、ステップＳ２００に戻り、タッチパネル２０からスタイラスペン３０の先端が離反してからの時間が再び計測される。
【００４８】
以上説明したように、ユーザーが描画を行おうとしているときには、描画画像の移動が停止させられるため、ユーザは静止した描画画像に対して追加の描画を行うことができる。従って、描画を行いやすくさせることができる。一方、しばらく描画が行われない場合には、描画画像が移動させられるため、焼き付きを防止することができる。すなわち、本処理を実行することにより、焼き付き防止性と描画容易性を両立させることができる。なお、本実施形態において描画画像のみを移動させるものとしたが、むろんキャンバス画像やパレット画像を移動させるようにしてもよい。
【００４９】
（５）通知処理：
さらに、本実施形態においては、図１１に示す通知処理を実行している。なお、通知処理はＰＤＰテレビジョン１０がテレビ画像やビデオ画像を表示する通常モードにおいて実行される処理である。同図において、ステップＳ３００では、通知部Ｍ５がＥＥＰＲＯＭ１４ｅに記憶された描画画像データ１４ｅ１を検索する。そして、ステップＳ３１０にて描画画像データ１４ｅ１が１つでも検出された場合には、ステップＳ３２０にてＲＯＭ１４ｃに記憶されたアイコン画像データ１４ｃ３を取得し、同アイコン画像データ１４ｃ３をフレームメモリ１２ｂ４に出力する。一方、描画画像データ１４ｅ１が検出されない場合には、そのまま処理を終了させる。
【００５０】
アイコン画像データ１４ｃ３は、描画画像データ１４ｅ１が記憶されている旨を通知するための小さなアイコン画像を表示する画像データであり、調整回路１２ｂにおいて、テレビ画像やビデオ画像等に重畳される。このようにすることにより、通常モードにおいて、テレビ画像やビデオ画像等の視認性を大幅に悪化させることなく描画画像データ１４ｅ１が記憶されていることを認識することができる。従って、描画モードにおいてユーザーが書いた伝言などを、後からＰＤＰテレビジョン１０を見たユーザーに伝達することができる。なお、描画画像データ１４ｅ１が記憶されているため、後のユーザーが所定の操作を行うことにより、描画画像データ１４ｅ１をＰＤＰパネル１３に表示させることができる。
【００５１】
（６）まとめ：
以上説明したように、スタイラスペン３０を操作することにより描画モードに移行することができるため、スタイラスペン３０を用いて描画を行う際の利便性がよい。さらに、スタイラスペン３０を操作することによりキャンバス画像と描画画像の色設定を行うためのパレット画像を表示させることができるため、頻繁に描画色を変更するような場合であっても操作が煩わしくない。また、キャンバス画像や描画画像の変更を容易に行うことができるため、各セルの表示色が一定となりがちな描画モードにおいてＰＤＰパネル１３に表示される色を頻繁に変更し、全体的な焼き付きを防止することができる。
【図面の簡単な説明】
【００５２】
【図１】本発明にかかるＰＤＰテレビジョンの概略ブロック図である。
【図２】タッチパネルとＰＤＰパネルの斜視図である。
【図３】本発明にかかるＰＤＰテレビジョンのソフトウェアブロック図である。
【図４】スタイラスペンの斜視図である。
【図５】描画モードのフローチャートである。
【図６】キャンバス画像を示す図である。
【図７】キャンバス画像と描画画像を示す図である。
【図８】キャンバス画像と描画画像とパレット画像を示す図である。
【図９】焼き付き防止処理のフローチャートである。
【図１０】焼き付き防止処理の動作説明図である。
【図１１】通知処理のフローチャートである。
【符号の説明】
【００５３】
１０…プラズマ表示（ＰＤＰ）テレビジョン
１１…チューナ
１２…ビデオ信号処理回路
１２ａ１…Ａ／Ｄ変換回路
１３…プラズマ表示（ＰＤＰ）パネル
１４…マイコン
１４ａ…操作パネル
１４ｂ…リモコン受信器
１４ｃ…ＲＯＭ
１４ｃ１…パレット画像データ
１４ｃ２…キャンバス画像データ
１４ｃ３…アイコン画像データ
１４ｄ…ＲＡＭ
１４ｅ…ＥＥＰＲＯＭ
１４ｅ１…描画画像データ
１４ｆ…タイマ
１５…セレクタ回路
１５ａ〜１５ｃ…外部入力端子
２０…タッチパネル
３０…スタイラスペン
３１…コイル
３２…モード切替スイッチ
３３…パレット切替スイッチ
３４…リモコン発信器
３４ａ…発信レンズ
Ｍ…描画プログラム
Ｍ１…キャンバス画像表示部
Ｍ２…パレット画像表示部
Ｍ３…描画部
Ｍ４…焼き付き防止部
Ｍ５…通知部
Ｍ６…記憶部
Ｍ７…リモコン入力部
Ｍ８…タッチ入力部
Ｍ９…合成部
【図１】
2006293149.tif 000003
【図２】
2006293149.tif 000004
【図３】
2006293149.tif 000005
【図４】
2006293149.tif 000006
【図５】
2006293149.tif 000007
【図６】
2006293149.tif 000008
【図７】
2006293149.tif 000009
【図８】
2006293149.tif 000010
【図９】
2006293149.tif 000011
【図１０】
2006293149.tif 000012
【図１１】
2006293149.tif 000013